(57)【特許請求の範囲】
【請求項１】
フィッシャー・トロプシュ法の化学プラント、石油プラント又は石油化学プラントから排出された有機化合物を含むプラント排水の処理方法であって、前記プラント排水を第１部分と第２部分とに分ける分割工程と、前記第１部分を嫌気状態で嫌気性生物処理して嫌気的処理水を得る嫌気的処理工程と、前記嫌気的処理水に微生物活性化剤を添加する工程と、前記嫌気的処理工程での処理を行わない前記第２部分と前記嫌気的処理水とを混合しながら、前記第２部分及び嫌気的処理水を好気性生物処理する好気的処理工程と、を含むプラント排水の処理方法。
【請求項２】
前記微生物活性化剤を、生活排水、人工下水、食品及び食品加工工場からの排水、厨房排水、汚泥消化槽脱離液から選択する請求項１記載のプラント排水の処理方法。
【請求項３】
前記嫌気的処理工程のｐＨを５．５〜７．０に調節する請求項１又は２記載のプラント排水の処理方法。
【請求項４】
前記嫌気的処理工程の前に、前記第１部分を無酸素状態で嫌気性生物処理する前処理工程を有する請求項１〜３のいずれか１項記載のプラント排水の処理方法。
【請求項５】
前記分割工程の前に、前記プラント排水を無酸素状態で嫌気性生物処理する前処理工程を有する請求項１〜３のいずれか１項記載のプラント排水の処理方法。
【請求項６】
前記好気的処理工程での好気性生物処理が、膜分離活性汚泥処理であることを特徴とする請求項１〜５のいずれか１項記載のプラント排水の処理方法。
【請求項７】
フィッシャー・トロプシュ法の化学プラント、石油プラント又は石油化学プラントから排出された有機化合物を含むプラント排水の処理システムであって、前記プラント排水を第１部分と第２部分とに分ける分割手段と、前記第１部分を嫌気状態で嫌気性生物処理して嫌気的処理水を得る嫌気性生物処理槽と、前記嫌気的処理水に微生物活性化剤を混合する手段と、前記嫌気性生物処理槽を通さない前記第２部分と前記嫌気的処理水とを混合しながら、前記第２部分及び嫌気的処理水を好気性生物処理する好気性生物処理槽と、を有するプラント排水の処理システム。
【請求項８】
前記微生物活性化剤が、生活排水、人工下水、食品及び食品加工工場からの排水、厨房排水、又は汚泥消化槽脱離液である請求項７記載のプラント排水の処理システム。
【請求項９】
前記嫌気性生物処理槽の上流に、前記プラント排水または第１部分を無酸素状態で嫌気性生物処理する無酸素槽を有する請求項７又は８記載のプラント排水の処理システム。
【発明の詳細な説明】
【技術分野】
【０００１】
本発明は、有機化合物を含むプラント排水を嫌気性生物処理及び好気性生物処理するときのコストを低減し、処理水の性状を改良するようにしたプラント排水の処理方法及び処理システムに関する。
【背景技術】
【０００２】
近年、水資源の有効利用、特にリサイクル利用が重要視される中で、排水や下水を浄化処理することが提案されている。なかでも有機化合物を含む水に対して嫌気性及び好気性生物処理を施すことにより、有機化合物を分解除去し浄化する方法が知られている。
【０００３】
例えば特許文献１は、化学プラント、石油プラント又は石油化学プラントから排出された有機化合物を含むプラント排水に対し、無酸素槽、嫌気性生物処理槽、好気性生物処理槽、固液分離手段、逆浸透膜分離装置（ＲＯ）における各処理工程を通し、嫌気性微生物及び好気性微生物による生物学的処理を行うとき、窒素成分及びリン成分を含む化合物と共にＲＯ濃縮水を、無酸素槽に添加することにより、生物学的処理にかかる処理コストを削減することを提案している。
【０００４】
このプラント排水の処理方法及びシステムは、生物学的処理にかかるコストを削減するのに有用である。しかし処理コストを更に低減すること及び浄化処理された水の性状を改良することが求められている。例えば嫌気性生物処理槽、好気性生物処理槽におけるｐＨはほぼ中性であることが望ましいが、酸性のプラント排水を処理したり、無酸素槽で有機化合物から有機酸が生成するとｐＨが酸性領域になるため、嫌気性生物処理をする工程でアルカリを添加しｐＨを調節する必要がある。また好気性生物処理をする段階では有機酸が分解・除去されるとｐＨがアルカリ性領域になり、好気的微生物処理に好ましくない状況になるため、好気性生物処理槽に酸を添加しｐＨを調節する必要がある。このようにアルカリ及び酸を添加しｐＨを調節することは、プラント排水を生物学的処理するコストを高くする要因になっていた。またｐＨを調節するため、塩酸やアルカリを添加すると、固液分離した処理水が塩化物イオンやアルカリ金属イオン等を含むため、再利用する用途が限定されていた。
【先行技術文献】
【特許文献】
【０００５】
【特許文献１】国際公開番号ＷＯ２０１１／０４３１４４号
【発明の概要】
【発明が解決しようとする課題】
【０００６】
本発明の目的は、有機化合物を含むプラント排水を嫌気性生物処理及び好気性生物処理するときのコストを低減し、処理水の性状を改良するようにしたプラント排水の処理方法及び処理システムを提供することにある。
【課題を解決するための手段】
【０００７】
上記目的を達成する本発明のプラント排水の処理方法は、化学プラント、石油プラント又は石油化学プラントから排出された有機化合物を含むプラント排水の処理方法であって、前記プラント排水を第１部分と第２部分とに分ける分割工程と、前記第１部分を嫌気状態で嫌気性生物処理して嫌気的処理水を得る嫌気的処理工程と、前記嫌気的処理水に微生物活性化剤を添加する工程と、前記嫌気的処理工程での処理を行わない前記第２部分と前記嫌気的処理水とを混合しながら、前記第２部分及び嫌気的処理水を好気性生物処理する好気的処理工程と、を含むことを特徴とする。
【０００８】
本発明のプラント排水の処理システムは、化学プラント、石油プラント又は石油化学プラントから排出された有機化合物を含むプラント排水の処理システムであって、前記プラント排水を第１部分と第２部分とに分ける分割手段と、前記第１部分を嫌気状態で嫌気性生物処理して嫌気的処理水を得る嫌気性生物処理槽と、前記嫌気的処理水に微生物活性化剤を混合する手段と、前記嫌気性生物処理槽を通さない前記第２部分と前記嫌気的処理水とを混合しながら、前記第２部分及び嫌気的処理水を好気性生物処理する好気性生物処理槽と、を有することを特徴とする。
【発明の効果】
【０００９】
本発明のプラント排水の処理方法によれば、プラント排水を第１部分と第２部分に分け、このうち第２部分を、嫌気性生物処理工程をバイパスさせて好気性生物処理工程に送るようにしたので、嫌気性生物処理工程での処理量が減りアルカリの添加量が削減可能になり、また好気性生物処理工程に添加する酸の全量又は一部をプラント排水の第２部分で代用するため酸の添加量が削減可能になる。このため酸及びアルカリの添加量を削減し処理コストを低減することができる。また塩酸等の添加量を削減又はなくすことができるので、固液分離手段を通した処理水中の塩化物イオン等、最終的に得られた処理水の再利用の障害になるイオンの含有量を削減又はなくすことができ、処理水を再利用する用途を拡大することができる。
【００１０】
前記微生物活性化剤としては、生活排水、人工下水、食品及び食品加工工場からの排水、厨房排水、汚泥消化槽脱離液から選択することができる。前記嫌気的処理工程のｐＨを５．５〜７．０に調節することが好ましい。
【００１１】
前記嫌気的処理工程の前に、前記第１部分を無酸素状態で嫌気性生物処理する前処理工程を有することができる。或いは、前記分割工程の前に、前記プラント排水を無酸素状態で嫌気性生物処理する前処理工程を有することができる。
【００１２】
前記好気的処理工程での好気性生物処理としては、膜分離活性汚泥処理であることが好ましい。
【００１３】
本発明のプラント排水の処理システムは、プラント排水を第１部分と第２部分に分け、このうち第２部分を、嫌気性生物処理槽をバイパスさせ好気性生物処理槽に送るようにしたので、嫌気性生物処理槽での処理量が減りアルカリの添加量が削減可能になり、また好気性生物処理槽に添加する酸の全量又は一部をプラント排水の第２部分で代用するため酸の添加量が削減可能になる。このため酸及びアルカリの添加量を削減し処理コストを低減すると共に、最終的処理された処理水中の再利用の障害になるイオンの含有量を削減又はなくすことができる。
【００１４】
前記微生物活性化剤は、生活排水、人工下水、食品及び食品加工工場からの排水、厨房排水、又は汚泥消化槽脱離液であるとよい。前記嫌気性生物処理槽の上流に、前記プラント排水または第１部分を無酸素状態で嫌気性生物処理する無酸素槽を有することができる。
【図面の簡単な説明】
【００１５】
【図１】本発明のプラント排水の処理方法に使用する処理システムの実施形態の一例を示す系統図である。
【図２】本発明のプラント排水の処理方法に使用する処理システムの実施形態の他の例を示す系統図である。
【図３】本発明のプラント排水の処理方法に使用する処理システムの実施形態の更に他の例を示す系統図である。
【発明を実施するための形態】
【００１６】
本発明において、処理対象とするプラント排水は、化学プラント、石油プラント又は石油化学プラントから排出された有機化合物を含む排水である。化学プラントから排出されたプラント排水としては、例えばフィッシャー・トロプシュ法を使用したプラントで製造された副生成水など化学反応の副生成物としての排水や、主生成物を精製するときに使用した洗浄水が例示される。また、反応装置や設備を洗浄するのに使用した排水を処理することもできる。
【００１７】
このような中高濃度の有機化合物を含むプラント排水は、純水や飲用水の原水、或いは農業用水として利用することができない。また、工業用水としての利用も制限される。有機化合物としては、低級炭化水素や水溶性の含酸素炭化水素であり、例えばアルカン、アルコール、ケトン、アルデヒド、有機酸等を例示することができる。これらの有機化合物は、単独種又は複数種の組合せであってもよい。
【００１８】
図１，２は、フィッシャー・トロプシュ法により副成した副生成水のように、有機化合物を含む酸性のプラント排水の処理システムの実施形態の一例を模式的に示す説明図である。
【００１９】
図１，２において、１は無酸素槽、２は嫌気性生物処理槽、３は好気性生物処理槽、４は逆浸透膜分離装置（ＲＯ膜分離装置）である。本発明では、嫌気性生物処理槽２及び好気性生物処理槽３を必ず含み、無酸素槽１及び逆浸透膜分離装置４は任意に追加することができる。なお、無酸素槽及び嫌気性生物処理槽はいずれも嫌気性生物処理を行う処理槽である。上流側に配置された無酸素槽は、無酸素状態で嫌気性生物処理を行う。また下流側に配置された嫌気性生物処理槽は、嫌気状態で嫌気性生物処理を行う。本明細書において、無酸素状態とは、液中に溶存酸素がなく、亜硝酸、硝酸の中の結合性の酸素だけが存在する状態をいう。また嫌気状態とは、液中に溶存酸素及び結合性の酸素が存在しない状態をいう。
【００２０】
本発明のプラント排水の処理システムにおいて、プラント排水１０は、嫌気性生物処理槽２の上流において、プラント排水の第１部分１１と第２部分１４に分けられる。嫌気性生物処理槽２は、プラント排水の第１部分１１を導入し、嫌気状態で嫌気性生物処理を行い、嫌気的処理水１３として排出する。好気性生物処理槽３は、嫌気的処理水１３を導入し好気性生物処理を行い、その処理水を固液分離手段に通し好気的処理水１６として排出する。また好気性生物処理槽３は、プラント排水の第２部分１４を、嫌気性生物処理槽２を通さずに、好気性生物処理槽３に導入する手段を有する。必要に応じ無酸素槽１を配置するときは、図１に示したように無酸素槽１の上流でプラント排水１０を第１部分１１と第２部分１４に分けるか、或いは図２のように無酸素槽１の下流でプラント排水１０を第１部分と第２部分に分けることができる。プラント排水１０がフィッシャー・トロプシュ法の副生成水のように酸性であるとき、図１に示したようにプラント排水の第２部分１４を、無酸素槽１及び嫌気性生物処理槽２を通さずに、好気性生物処理槽３に送ることが好ましい。一方、プラント排水１０が中性又はアルカリ性であるとき、図２に示したように前処理水の一部１５を、プラント排水の第２部分として、嫌気性生物処理槽２を通さずに、好気性生物処理槽３に送ることが好ましい。
【００２１】
図１において、プラント排水の第２部分１４が、無酸素槽１及び嫌気性生物処理槽２を通さずに、好気性生物処理槽３に添加されるのに対して、プラント排水の第１部分１１は、無酸素槽１及び嫌気性生物処理槽２において、無酸素状態及び嫌気状態で嫌気性生物処理が施される。
【００２２】
無酸素槽１は、嫌気性ガスの曝気手段を備え、導入したプラント排水の第１部分１１に対し嫌気性ガスを曝気することにより槽内を無酸素状態に近づけ、嫌気性微生物と混合撹拌し、有機化合物の無酸素状態での嫌気性生物処理を行い、前処理水１２を排出する。また無酸素槽１は、ＲＯ濃縮水の添加手段を有することができる。また必要に応じ引抜き汚泥の添加手段及び窒素成分及びリン成分を含む化合物の添加手段を有することができる。ＲＯ濃縮水、引抜き汚泥、窒素成分及びリン成分などの成分を栄養分として摂取することにより、無酸素槽１内の嫌気性微生物が活性化し、有機化合物の嫌気性生物処理を促進する。
【００２３】
嫌気性生物処理槽２は、無酸素槽１の下流に配置され、前処理水１２を導入し、嫌気状態の嫌気性生物処理により有機化合物を更に分解し、メタン、二酸化炭素を含む混合ガス及び嫌気的処理水１３を排出する。嫌気性生物処理槽２は、必要に応じｐＨ調節手段、例えばアルカリ等のｐＨ調節剤２０を添加する手段を備えることができる。ｐＨ調節手段により、嫌気性生物処理槽２内のｐＨを、嫌気性微生物に適したｐＨ範囲に調節する。
【００２４】
本発明において、嫌気性生物処理槽２は、好ましくは上向流嫌気性スラッジブランケット（ＵＡＳＢ）である。このＵＡＳＢは、通常使用される嫌気性生物処理装置であり、生物分解の効率が高い。
【００２５】
好気性生物処理槽３は、嫌気性生物処理槽２の下流に配置され、嫌気的処理水１３及びプラント排水の第２部分１４を導入し混合しながら、好気性生物処理を行い、さらに固液分離手段により固液分離し、好気的処理水１６として排出する。好気性生物処理槽３は、必要に応じ他のｐＨ調節手段、すなわち酸等のｐＨ調節剤２１の添加手段を有することができる。
【００２６】
好気性生物処理槽３では、ｐＨを好適な範囲に調節しながら好気性生物処理により、嫌気性生物処理槽２で分解された有機化合物を更に分解する。好気性生物処理された処理水は、固液分離手段に通され、好気的処理水１６が分離され排出される。ここで好気性生物処理槽３から必要に応じて抜き出された引抜き汚泥２２の少なくとも一部を無酸素槽１に返送することができ、その配管の途中に引抜き汚泥（活性汚泥）を可溶化する可溶化手段（図示せず）を配置することができる。
【００２７】
好気性生物処理槽は、好ましくは固液分離手段を備えた好気性生物処理槽（ＭＢＲ；Ｍｅｍｂｒａｎｅ  Ｂｉｏｒｅａｃｔｏｒ）、すなわち膜分離活性汚泥処理槽である。このＭＢＲは、通常使用される好気性生物処理装置であり、槽内に空気を供給する散気管と固液分離手段を有する。
【００２８】
次いで逆浸透膜分離装置４が好気性生物処理槽３の下流に配置され、好気性生物処理槽３から排出された好気的処理水１６を、ＲＯ透過水１８及びＲＯ濃縮水１９に分離する。また逆浸透膜分離装置４と無酸素槽１とは配管により接続され、ＲＯ濃縮水の一部２３が逆浸透膜分離装置４から無酸素槽１へ返送され、濃縮された窒素及びリンが微生物の栄養素として添加される。
【００２９】
図２は、化学プラント、石油プラント又は石油化学プラントから排出された有機化合物を含むプラント排水のうち、中性又はアルカリ性のプラント排水の処理システムの実施形態の一例を模式的に示す説明図である。
【００３０】
図２において、図１に示したプラント排水の第２部分１４の代わりに、前処理水の一部１５を好気性生物処理槽３に送ることを除き、図１と同じ構成を有する。プラント排水１０が中性又はアルカリ性でも、無酸素槽１において無酸素状態で嫌気性生物処理することにより前処理水１２が酸性になる。この前処理水１２を、嫌気性生物処理槽２を通さずに、好気性生物処理槽３に添加することにより、嫌気的処理水１３のｐＨを酸性に調節するのに使用することができる。なおプラント排水１０、前処理水１２及び嫌気的処理水１３の性状及び処理量に幅広く対応するため酸等のｐＨ調節剤２１の添加手段を有することができる。
【００３１】
本発明の処理システムにおいて、図３に示すように、嫌気性生物処理槽２と好気性生物処理槽３の間に、微生物活性化剤２４の混合手段５を設ける。混合手段５では、嫌気性生物処理槽２から排出した嫌気的処理水１３と微生物活性化剤２４を混合する。混合手段５は、独立した混合槽でも、スタティックミキサー等の混合装置でもよい。また混合手段５としては、嫌気性生物処理槽２と好気性生物処理槽３との間の配管に微生物活性化剤２４を添加する手段、又は好気性生物処理槽３に微生物活性化剤２４を直接添加する手段でもよい。嫌気的処理水１３に微生物活性化剤２４を混合することにより、好気性生物処理槽３中の好気性微生物を活性化することができる。
【００３２】
本発明の処理方法では、プラント排水１０は第１部分１１と第２部分１４に分けられる（分割工程）。第１部分１１は、嫌気性生物処理槽２において嫌気状態で嫌気性生物処理され（嫌気的処理工程）、嫌気的処理水１３として好気性生物処理槽３に送られる。またプラント排水の第２部分１４は嫌気性生物処理槽２を通さずに、好気性生物処理槽３に送られ、嫌気的処理水１３と混合し、ｐＨを適切な範囲に調節しながら好気性生物処理する（好気的処理工程）。また必要に応じ、無酸素槽１で無酸素状態の嫌気性生物処理する前処理工程、逆浸透膜分離装置（ＲＯ）４で処理するＲＯ処理工程で処理することができる。
【００３３】
前処理工程では、無酸素槽１に供給されたプラント排水１０又はその第１部分１１が、嫌気性ガスで曝気することにより、酸素が除去され無酸素状態になり、嫌気性微生物の撹拌混合により分解反応が促進される。嫌気性ガスは酸素を含まない気体であり、例えば窒素、メタン、二酸化炭素が例示される。これらの気体は単独でも、複数種の混合ガスでもよい。好ましくはメタン及び二酸化炭素を含む混合ガスであるとよく、生物処理で発生したメタン及び二酸化炭素を含む混合ガスを使用することができる。
【００３４】
無酸素状態で嫌気性微生物が、プラント排水中の有機化合物を生物分解し、有機化合物の低分子量化を行う。すなわち嫌気性微生物が有機化合物の主鎖を切断したり、有機酸へ分解したりする。この有機化合物の分解・酸化により処理水のｐＨが低くなる。この処理された水が前処理水１２として排出される。
【００３５】
無酸素槽１には、必要に応じてＲＯ濃縮水の一部２３、引抜き汚泥２２、窒素成分及びリン成分を含む化合物を添加することができる。窒素成分としては、例えば尿素、アンモニウム塩等、リン成分としては、例えばリン酸、リン酸塩等が例示される。
【００３６】
次に嫌気的処理工程では、前処理水１２が、嫌気性生物処理槽２に導入され更に嫌気状態で嫌気性生物処理が行われる。前処理水１２は、上述した通りｐＨが低いためｐＨ調節手段により、嫌気性微生物の活性を高くするように好適なｐＨに調節される。嫌気性生物処理槽２のｐＨとしては、好ましくはｐＨ５．５〜７．０、より好ましくはｐＨ６．０〜６．７にするとよい。このような範囲にｐＨを調節することによりアルカリの添加量を少なくすることができる。また嫌気状態で嫌気性生物処理が施された処理水のｐＨが高くなるのを抑制することができる。
【００３７】
ｐＨ調節手段は、特に制限されることはなく、通常のｐＨ調節方法を用いることができ、適宜、アルカリからなるｐＨ調節剤２０を添加することができる。また有機物が除去された処理水を再利用することを考慮すると、塩化物イオン、ナトリウムイオン、カルシウムイオン、マグネシウムイオン、硫酸イオン、硫化物イオンなど再利用の用途を制限する元素をできる限り含有しないことが好ましい。
【００３８】
本発明において、プラント排水の第２部分１４及び／又は前処理水の一部１５を、嫌気性生物処理槽２をバイパスし、好気性生物処理槽３に送るので、嫌気性生物処理槽２におけるアルカリからなるｐＨ調節剤２０の添加量を削減することができる。これにより処理コストを低減すると共に、処理水中のナトリウムイオン、カルシウムイオン、マグネシウムイオンなどアルカリ添加に起因する元素の含有量を少なくすることができる。
【００３９】
嫌気性生物処理槽２としては、上向流嫌気性スラッジブランケット（ＵＡＳＢ）が好ましく使用される。嫌気性生物処理槽２内の嫌気性生物分解により、分解された有機化合物が、更にメタン及び二酸化炭素に分解され、混合ガスとして排出される。このように低分子量有機化合物をメタン及び二酸化炭素へ分解することにより、処理水のｐＨが高くなる傾向にある。また、嫌気性生物処理槽２内で増殖し、増えすぎた嫌気性微生物は、適宜取出して、保存し再利用することができる。嫌気的処理工程の処理水は嫌気的処理水１３として排出される。
【００４０】
好気的処理工程では、好気性生物処理槽３で、嫌気的処理水１３と、プラント排水の第２部分１４及び／又は前処理水の一部１５とが混合されながら、好気性生物処理が行われる。嫌気的処理水１３は、上述した通りｐＨが高くなっている。また好気性生物処理により更にｐＨが高くなるため、ｐＨ調節手段により、ｐＨを好ましくはｐＨ６．５〜８．０、より好ましくはｐＨ７．０〜８．０に調節するとよい。好気性生物処理槽３のｐＨをこのような範囲内にすることにより、好気性微生物の活性を高くし、有機化合物の分解を促進することができる。好気性生物処理槽３のｐＨ調節手段は、プラント排水の第２部分１４及び／又は前処理水の一部１５を混合する手段である。上述した通り、プラント排水１０が、フィッシャー・トロプシュ法からの副生成水などのように、酸性であるとき、このプラント排水の第２部分１４を好気性生物処理槽３に送り混合することができる。またプラント排水１０が中性又はアルカリ性でも、無酸素槽１から排出された前処理水１２が酸性であれば、前処理水の一部１５をプラント排水の第２部分として、好気性生物処理槽３に送り混合することができる。また通常のｐＨ調節方法を併せて用いることができ、酸又はアルカリからなるｐＨ調節剤２１を必要に応じ添加することができる。従来の処理方法では、嫌気的処理水１３のｐＨを調節するため、酸からなるｐＨ調節剤２１を必ず添加する必要があったが、プラント排水の第２部分１４及び／又は前処理水の一部１５を、嫌気性生物処理槽２を通さずに、好気性生物処理槽３に送り混合することにより、ｐＨ調節剤２１の添加量を削減又はなくすことができる。
【００４１】
有機化合物が除去された処理水を再利用することを考慮すると、ｐＨ調節剤２１はできる限り塩化物イオン、ナトリウムイオン、カルシウムイオン、マグネシウムイオン、硫酸イオン、硫化物イオンなど再利用の用途を制限する元素を含有しないことが好ましい。これに対しプラント排水の第２部分１４及び／又は前処理水の一部１５は、これらの元素を積極的に含むものではない。したがって、処理コストを低減すると共に、好気的処理水１６中の塩化物イオン、硫酸イオン、硫化物イオンなど無機酸の添加に起因する元素の含有量を少なくすることができる。
【００４２】
好気的処理工程では、好気性生物処理槽３の内部で固液分離処理する膜分離活性汚泥処理を行うことが好ましい。好気性生物処理槽３として固液分離手段を備えた好気性生物処理槽（ＭＢＲ）、すなわち膜分離活性汚泥処理槽を使用することが好ましい。ＭＢＲは、散気管を有し、空気を供給することにより、好気性微生物を活性化する。これにより嫌気的処理水１３に残存した有機化合物が、好気性生物処理により更に分解される。このように好気性生物処理された処理水は、ＭＢＲの槽内に備えられた分離膜により固液分離され、好気的処理水１６として排出される。ＭＢＲの分離膜としては、好気性微生物の大きさより孔径が小さい分離膜であればよい。例えば限外濾過膜（ＵＦ膜）、精密濾過膜（ＭＦ膜）を例示することができる。
【００４３】
また好気性生物処理槽３では、好気性微生物（活性汚泥；微生物を含む懸濁液）が増えすぎた場合に、その一部を引抜き汚泥２２として取出すことにより、活性汚泥の濃度を調整することができる。更に引抜き汚泥２２の一部を嫌気性微生物の栄養素として利用することができる。このためには、引抜き汚泥を可溶化処理すること、すなわち好気性微生物の殻（細胞膜）を破壊或いは溶解して、微生物の栄養素として吸収しやすくすることが好ましい。引抜き汚泥を可溶化処理する方法としては、通常の方法を使用することができる。例えば引抜き汚泥を、水酸化ナトリウム水溶液等のアルカリで処理する方法、湿式ミルにより破砕処理する方法、凍結処理する方法、超音波処理する方法、オゾン処理する方法等を例示することができる。
【００４４】
固液分離手段により得られた好気的処理水１６の少なくとも一部が逆浸透膜分離装置４へ供給され、好気的処理水の残り１７は、散水用水、トイレ洗浄水、冷却塔などのプロセス水又はこれらの原水などの再利用水として使用することができる。
【００４５】
逆浸透膜分離装置４に供給された好気的処理水１６は、溶存物質が除去されＲＯ透過水１８として精製される。このＲＯ透過水１８は、純水や飲用水の原水や農業用水として利用することができる。また、ボイラ用水、冷却用水、工業用水として使用してもよい。一方、好気的処理水１６中の溶存物質は、ＲＯ濃縮水１９として排出される。溶存物質としては、有機化合物の残存物や窒素化合物、リン化合物、塩化物イオン、アルカリ金属イオン等が含まれている。
【００４６】
本発明の処理方法では、この逆浸透膜分離装置４から排出されたＲＯ濃縮水１９の少なくとも一部２３を、前処理工程の無酸素槽１に返送する。ＲＯ濃縮水１９は、窒素化合物及びリン化合物を含有するため、微生物の栄養素として活用することができる。これにより、無酸素槽１への窒素成分及びリン成分を含む化合物の添加量を好ましくは２０％〜６０％、より好ましくは３０％〜５０％削減することができる。
【００４７】
一方、引抜き汚泥２２の残部は、メタン発酵槽に導入し嫌気性生物処理することができる。これにより引抜き汚泥がメタン及び二酸化炭素を含む混合ガスに分解され排出される。更に嫌気性生物処理槽やメタン発酵槽から排出したメタン及び二酸化炭素を含む混合ガスは、無酸素槽に返送し嫌気性ガスとして曝気することができる。これにより生物処理のコストが低減する。或いは、混合ガスを化学プラント、石油プラント又は石油化学プラントからなる主プラントに返送してもよい。嫌気性生物処理槽から排出される混合ガスの組成比は、ＣＨ4／ＣＯ2＝８／２〜７／３であり、天然ガスからＨ2／ＣＯ＝２の合成ガスを製造するフィッシャー・トロプシュ法のリフォーミング反応の原料にそのまま利用することができる。
【００４８】
本発明の処理方法において、嫌気的処理水１３に微生物活性化剤２４を添加した後、好気性生物処理槽３に供給する。これにより好気性微生物の活性を高くする。処理対象であるプラント排水は、食品工場や飲食店からの排水や生活排水とは異なり、生物処理を担う微生物の主要栄養元素である窒素、リン及び生体構成に必要なカリウム、ナトリウム、カルシウム等の微量金属元素をほとんど含んでいない。更にプラント排水中の有機化合物は糖（炭水化物）、脂肪、蛋白質を含まないため微生物の活性を高くすることができない。このため好気性微生物の栄養分として、混合手段５に微生物活性化剤２４を供給し、嫌気的処理水１３と混合し、下流の好気性生物処理槽３での好気性微生物の活性を高くする。
【００４９】
微生物活性化剤２４としては、好気性微生物が摂取する栄養分及び／又は繊維状物質が挙げられる。微生物活性化剤２４としては、好ましくは生活排水、人工下水、食品及び食品加工工場からの排水、厨房排水、汚泥消化槽脱離液等が例示される。特に生活排水を使用することが好ましい。生活排水は、生活雑排水及び／又はし尿からなる。ここで生活雑排水は、台所排水、風呂排水、洗濯排水等からなる。し尿としては、水洗トイレ排水が例示され、トイレットペーパーなどの繊維状物質を含むことができる。微生物活性化剤２４を添加することによりコストをかけずに好気性微生物を活性化することができる。
【００５０】
本発明で使用する微生物活性化剤２４としては、糖、脂肪、蛋白質、窒素、燐及び繊維状物質を含むものがよい。これら成分を含むことにより好気性微生物を活性化することができる。
【００５１】
上述した栄養素を含むように容易に調製可能な微生物活性化剤として人工下水が例示される。表１は人工下水の組成を例示するものである。
【００５２】
【表１】
0006031241.tif 000002
【００５３】
なお微生物活性化剤２４は、液体、粉末や粒状体などの固体のいずれでもよい。また微生物活性化剤２４をそのまま嫌気的処理水と混合してもよいし、或いは微生物活性化剤２４を水等に溶かした溶液にして嫌気的処理水と混合してもよい。
【００５４】
また微生物活性化剤２４は、ｐＨが好ましくは６．０〜８．０、生物化学的酸素要求量（ＢＯＤ）が６０〜１０００ｍｇ／ｌ、全窒素含有量が１５〜１００ｍｇ／ｌ、全燐含有量が１．５〜１５ｍｇ／ｌである成分を少なくとも含むことが好ましい。なお微生物活性化剤２４は、微生物の活性を阻害しない範囲において、上記以外の成分を含んでもよい。
【００５５】
なお本明細書において、全窒素含有量は有機性窒素、アンモニア性窒素、亜硝酸性窒素、硝酸性窒素の各含有量の合計とし、全燐含有量はりん酸態りんの含有量とする。また生物化学的酸素要求量（ＢＯＤ）はＪＩＳ  Ｋ０２０１  ２１、有機性窒素はＪＩＳ  Ｋ０１０２  ４４、アンモニア性窒素はＪＩＳ  Ｋ０１０２  ４２、亜硝酸性窒素はＪＩＳ  Ｋ０１０２  ４３．１、硝酸性窒素はＪＩＳ  Ｋ０１０２  ４３．２、りん酸態りんの含有量はＪＩＳ  Ｋ０１０２  ４６．１に基づき分析された値とする。
【００５６】
好気的処理工程での嫌気的処理水１３と微生物活性化剤２４との混合比は、嫌気的処理水１３を１００重量部にするとき、微生物活性化剤２４が好ましくは１〜５０重量部、より好ましくは５〜１５重量部になるようにするとよい。
【００５７】
上記のように微生物活性化剤２４を添加することにより、好気性生物処理槽３内の微生物が活性化する。また上流の嫌気性処理槽２において浮遊性物質が発生しＭＢＲの分離膜の目詰まりの原因になることがあるが、好気性微生物の活性を高くすることにより、この嫌気性処理由来の浮遊性物質をほとんど消失させることができる。このため分離膜における目詰まりを抑制し、処理流束を大幅に改良することができる。例えば生活排水を添加しないときＭＢＲの分離膜の処理流束が０．２ｍ3／ｍ2／ｄａｙ程度であったのが、生活排水を添加することにより、０．６〜０．６５ｍ3／ｍ2／ｄａｙへと約３倍以上に改良することができる。
【００５８】
以下において実施例により本発明を更に詳細に説明するが、本発明はこれらの実施例によって何ら限定されるものではない。
【実施例】
【００５９】
参照例１
図１に示した構成からなるプラント排水の処理システムを使用して、フィッシャー・トロプシュ法により副生したプラント水の浄化処理を行った。嫌気性生物処理槽２としてＵＡＳＢを使用し、好気性生物処理槽３としてＭＢＲを使用した。
【００６０】
プラント排水１０の水質を表２の「プラント排水」の欄に示した。プラント排水の第１部分１１を無酸素槽１へ１９．８ｍＬ／分の流量で供給し、無酸素処理した。無酸素槽１から排出した前処理水１２を嫌気性生物処理槽２に導入し、５％ＮａＯＨ水溶液（ｐＨ調節剤２０）を０．２７ｍＬ／分で添加した。嫌気性生物処理槽２をｐＨ６．３に調節しながら貯留（滞留時間：４０．８時間）し、嫌気性生物処理を行った。嫌気性生物処理槽２から排出した嫌気的処理水１３の水質を表２の「ＵＡＳＢ処理水」の欄に示した。嫌気的処理水１３の水質は、アルコール等の非酸性の酸化炭化水素の含有量、ＣＯＤCrが大幅に低減した。
【００６１】
得られた嫌気的処理水１３を好気性生物処理槽３へ導入した。またプラント排水の第２部分１４を０．５ｍＬ／分で好気性生物処理槽３へ添加した。なお塩酸などのｐＨ調節剤２１は添加しなかった。これにより好気性生物処理槽３をｐＨ７．４に調節し好気性生物処理を行った後、膜分離により固液分離した。好気性生物処理槽３から排出した好気的処理水１６の水質を表２の「ＭＢＲ処理水」の欄に示した。好気的処理水１６の水質は、すべての有機物成分の含有量が大幅に削減していた。なお好気性生物処理槽３から引抜き汚泥２２を抜き出し、その一部を、無酸素槽１のＭＬＳＳ（曝気槽混合液中の浮遊物質）が１００００ｍｇ／ｌになるように無酸素槽１に返送した。
【００６２】
得られた好気的処理水１６を逆浸透膜分離装置４（ＲＯ）へ供給し、水回収率６５％で運転した。ＲＯ処理されたＲＯ透過水１８及びＲＯ濃縮水１９の水質を表２の「ＲＯ透過水」及び「ＲＯ濃縮水」の欄に示した。ＲＯ透過水１８の水質は清浄であり、ＥＰＡ‘７３のボイラ用水（４８〜１０３バール）及び冷却水の水質基準に合格するレベルであった。なおＲＯ濃縮水の一部２３を無酸素槽１に循環させた。
【００６３】
この参照例１のプラント排水の処理方法は、後述する比較例１と比較し、アルカリ及び酸の添加量を削減し、処理コストを低減すること、及びＭＢＲ処理水中の塩化物イオンが未検出であることが確認された。
【００６４】
なお、非酸性酸化炭化水素（単位ｍｇ／ｌ）はＪＩＳ  Ｋ０１１４準用、酸性酸化炭化水素（単位ｍｇ／ｌ）は高速液体クロマトグラフ法、他炭化水素（単位ｍｇ／ｌ）は昭和４９年環境庁告示第６４号付表４、ＣＯＤｃｒ（単位ｍｇ／ｌ）はＪＩＳ  Ｋ  ０１０２  ２０、浮遊物質量ＳＳ（単位ｍｇ／ｌ）はＪＩＳ  Ｋ  ０２０１  ２１、溶解性蒸発残留物（ＴＤＳ）はＪＩＳ  Ｋ  ０１０２  １４．３、塩化物イオンはＪＩＳ  Ｋ０１０２−３５．１に基づき測定した。
【００６５】
【表２】
0006031241.tif 000003
【００６６】
参照例２
図１に示した構成からなるプラント排水の処理システムにおいて、嫌気性生物処理槽２（ＵＡＳＢ）に添加する５％ＮａＯＨ水溶液（ｐＨ調節剤２０）を０．４２ｍＬ／分に変更し、嫌気性生物処理槽２のｐＨを７．０に調節したことを除き、参照例１と同様にして嫌気性生物処理、好気性生物処理及び逆浸透膜分離を行った。各工程における水質を表３に示した。
【００６７】
この参照例２のプラント排水の処理方法は、後述する比較例１と比較し、酸の添加量を削減し、処理コストを低減すること、及びＭＢＲ処理水中の塩化物イオンが未検出であることが確認された。
【００６８】
【表３】
0006031241.tif 000004
【００６９】
実施例１
図３に示した構成からなるプラント排水の処理システムにおいて、フィッシャー・トロプシュ法により副生したプラント水の浄化処理を行った。嫌気性生物処理槽２としてＵＡＳＢを使用し、好気性生物処理槽３としてＭＢＲを使用した。
【００７０】
プラント排水の第１部分１１の水質を表４の「プラント排水」の欄に示した。プラント排水の第１部分１１を無酸素槽１へ１９．８ｍＬ／分の流量で供給し、無酸素処理した。無酸素槽１から排出した前処理水１２を嫌気性生物処理槽２に導入した。また嫌気性生物処理槽２に５％ＮａＯＨ水溶液（ｐＨ調節剤２０）を０．３５ｍＬ／分で添加した。これにより嫌気性生物処理槽２をｐＨ６．４〜６．５に調節しながら貯留（滞留時間：４０．８時間）し、嫌気性生物処理を行った。嫌気性生物処理槽２から排出した嫌気的処理水１３の水質を表４の「ＵＡＳＢ処理水」の欄に示した。嫌気的処理水１３の水質は、アルコール等の非酸性の酸化炭化水素の含有量、ＣＯＤCrが大幅に低減した。
【００７１】
嫌気性生物処理槽２から排出した嫌気的処理水１３を混合手段５に供給し、表５に示す水質の生活排水からなる微生物活性化剤２４（２ｍＬ／分）と混合し、好気性生物処理槽３へ供給した。またプラント排水の第２部分１４を０．５ｍＬ／分で好気性生物処理槽３に添加した。なお塩酸等のｐＨ調節剤２１は添加しなかった。これにより好気性生物処理槽３をｐＨ７〜８に調節し好気性生物処理を行った後、膜分離により固液分離した。分離膜における処理流束は０．６５ｍ3／ｍ2／ｄａｙと高く安定的であった。好気性生物処理槽３から排出した好気的処理水１６の水質を表４の「ＭＢＲ処理水」の欄に示した。好気的処理水１６の水質は、すべての有機物成分の含有量が大幅に削減していた。なお好気性生物処理槽３から引抜き汚泥２２を抜き出し、その一部を、無酸素槽１のＭＬＳＳ（曝気槽混合液中の浮遊物質）が１００００ｍｇ／ｌになるように無酸素槽１に返送した。
【００７２】
得られた好気的処理水１６を逆浸透膜分離装置４（ＲＯ）へ供給し、水回収率６５％で運転した。ＲＯ処理されたＲＯ透過水１８及びＲＯ濃縮水１９の水質を表４の「ＲＯ透過水」及び「ＲＯ濃縮水」の欄に示した。ＲＯ透過水１８の水質は清浄であり、ＥＰＡ‘７３のボイラ用水（４８〜１０３バール）及び冷却水の水質基準に合格するレベルであった。なおＲＯ濃縮水の一部２３を無酸素槽１に循環させた。
【００７３】
この実施例１のプラント排水の処理方法は、後述する比較例１と比較し、アルカリ及び酸の添加量を削減し、処理コストを低減すること、及びＭＢＲ処理水中の塩化物イオンが未検出であることが確認された。更にＭＢＲの分離膜における処理流束が０．６５ｍ3／ｍ2／ｄａｙと高く安定的であることが確認された。
【００７４】
【表４】
0006031241.tif 000005
【００７５】
【表５】
0006031241.tif 000006
【００７６】
比較例１
図１に示した構成からなるプラント排水の処理システムにおいて、プラント排水の第２部分１４を好気性生物処理槽３へ添加しないようにして、フィッシャー・トロプシュ法により副生したプラント水の浄化処理を行った。嫌気性生物処理槽２としてＵＡＳＢを使用し、好気性生物処理槽３としてＭＢＲを使用した。
【００７７】
プラント排水の第１部分１１の水質を表６の「プラント排水」の欄に示した。プラント排水の第１部分１１を無酸素槽１へ１９．８ｍＬ／分の流量で供給し、無酸素処理した。無酸素槽１から排出した前処理水１２を嫌気性生物処理槽２に導入し、５％ＮａＯＨ水溶液（ｐＨ調節剤２０）を０．４３ｍＬ／分で添加した。これにより嫌気性生物処理槽２をｐＨ７．０に調節しながら貯留（滞留時間：４０．８時間）し、嫌気性生物処理を行った。嫌気性生物処理槽２から排出した嫌気的処理水１３の水質を表６の「ＵＡＳＢ処理水」の欄に示した。嫌気的処理水１３の水質は、アルコール等の非酸性の酸化炭化水素の含有量、ＣＯＤCrが大幅に低減した。
【００７８】
嫌気性生物処理槽２から排出した嫌気的処理水１３を好気性生物処理槽３へ導入し、１Ｎの塩酸（ｐＨ調節剤２１）を０．１６ｍＬ／分で添加した。これにより好気性生物処理槽３をｐＨ８．３に調節し好気性生物処理を行った後、膜分離により固液分離した。好気性生物処理槽３から排出した好気的処理水１６の水質を表６の「ＭＢＲ処理水」の欄に示した。好気的処理水１６の水質は、すべての有機物成分の含有量が削減し、溶解性蒸発残留物（ＴＤＳ）及び塩化物イオン（Ｃｌ-）の含有量が増加した。なお好気性生物処理槽３から引抜き汚泥２２を抜き出し、その一部を、無酸素槽１のＭＬＳＳ（曝気槽混合液中の浮遊物質）が１００００ｍｇ／ｌになるように無酸素槽１に返送した。
【００７９】
得られた好気的処理水１６を逆浸透膜分離装置４（ＲＯ）へ供給し、水回収率６５％で運転した。ＲＯ処理されたＲＯ透過水１８及びＲＯ濃縮水１９の水質を表６の「ＲＯ透過水」及び「ＲＯ濃縮水」の欄に示した。またＲＯ濃縮水の一部２４を無酸素槽１に循環させた。
【００８０】
【表６】
0006031241.tif 000007
【００８１】
参照例３
図２に示した構成からなるプラント排水の処理システムを使用して、アルカリ性の石油精製プラントから排出したプラント排水の浄化処理を行った。嫌気性生物処理槽２としてＵＡＳＢを使用し、好気性生物処理槽３としてＭＢＲを使用した。
【００８２】
プラント排水の第１部分１１の水質を表７の「プラント排水」の欄に示した。プラント排水の第１部分１１を無酸素槽１へ１９．８ｍＬ／分の流量で供給し、無酸素処理した。無酸素槽１から排出した前処理水１２の水質を表７の「無酸素槽処理水」の欄に示した。前処理水１２を嫌気性生物処理槽２に導入し、５％ＮａＯＨ水溶液（ｐＨ調節剤２０）を０．２ｍＬ／分で添加した。これにより嫌気性生物処理槽２をｐＨ６．３に調節しながら貯留（滞留時間：４０．８時間）し、嫌気性生物処理を行った。嫌気性生物処理槽２から排出した嫌気的処理水１３の水質を表７の「ＵＡＳＢ処理水」の欄に示した。
【００８３】
得られた嫌気的処理水１３を好気性生物処理槽３へ導入し、前処理水の一部１５を
０．５ｍＬ／分及び１Ｎの塩酸を０．０４ｍＬ／分で好気性生物処理槽３へ添加した。これにより好気性生物処理槽３をｐＨ７．４に調節し好気性生物処理を行った後、膜分離により固液分離した。好気性生物処理槽３から排出した好気的処理水１６の水質を表７の「ＭＢＲ処理水」の欄に示した。好気的処理水１６の水質は、すべての有機物成分の含有量が大幅に削減していた。なお好気性生物処理槽３から引抜き汚泥２２を抜き出し、その一部を、無酸素槽１のＭＬＳＳ（曝気槽混合液中の浮遊物質）が１００００ｍｇ／ｌになるように無酸素槽１に返送した。
【００８４】
得られた好気的処理水１６を逆浸透膜分離装置４（ＲＯ）へ供給し、水回収率６５％で運転した。ＲＯ処理されたＲＯ透過水１８及びＲＯ濃縮水１９の水質を表７の「ＲＯ透過水」及び「ＲＯ濃縮水」の欄に示した。ＲＯ透過水１８の水質は清浄であり、ＥＰＡ‘７３のボイラ用水（４８〜１０３バール）及び冷却水の水質基準に合格するレベルであった。なおＲＯ濃縮水の一部２３を無酸素槽１に循環させた。
【００８５】
なお、有機体炭素（ＴＯＣ）はＪＩＳ  Ｋ０１０２−２２．１に基づき測定した。
【００８６】
この参照例３のプラント排水の処理方法は、後述する比較例２と比較し、アルカリ及び酸の添加量を削減し処理コストを低減すること、及びＭＢＲ処理水中の塩化物イオンの量を低減することが確認された。
【００８７】
【表７】
0006031241.tif 000008
【００８８】
比較例２
図２に示した構成からなるプラント排水の処理システムにおいて、前処理水の一部１５を好気性生物処理槽３へ直接添加しないようにして、石油精製プラントから排出したプラント水の浄化処理を行った。嫌気性生物処理槽２（ＵＡＳＢ）に添加する５％ＮａＯＨ水溶液を０．３２ｍＬ／分に変更し嫌気性生物処理槽２のｐＨを７．０調節したこと、好気性生物処理槽３へ前処理水の一部１５を添加せずに１Ｎの塩酸の添加量を０．０８ｍＬ／分に倍増させたことを除き、参照例３と同様に嫌気性生物処理、好気性生物処理及び逆浸透膜分離を行った。各工程における水質を表８に示した。
【００８９】
【表８】
0006031241.tif 000009
【符号の説明】
【００９０】
１  無酸素槽
２  嫌気性生物処理槽
３  好気性生物処理槽
４  逆浸透膜分離装置
５  混合手段
１０  プラント排水
１１  プラント排水の第１部分
１２  前処理水
１３  嫌気的処理水
１４  プラント排水の第２部分
１５  前処理水の一部
１６  好気的処理水
１８  ＲＯ透過水
１９，２３  ＲＯ濃縮水
２２  引抜き汚泥
２０，２１  ｐＨ調節剤
２４  微生物活性化剤
【図１】
0006031241.tif 000010
【図２】
0006031241.tif 000011
【図３】
0006031241.tif 000012